(57)【特許請求の範囲】
【請求項１】
販売商品を収納する本体と、
該本体の前面の開口を閉塞し前方に開閉自在として前記本体に取付けられる扉体と、
該扉体に対向して前方を覆う外装パネルとを備えると共に、
前記扉体と前記外装パネルとを、前記扉体に対して前記外装パネルを着脱自在に連結して固定する連結手段を両者間に設け、
前記連結手段は、前記両者間を連結する際の位置決めと前記両者間の電気情報や電力の授受をする手段と前記両者間を固定する手段とからなることを特徴とする自動販売機。
【請求項２】
前記扉体は、金銭授受部と販売部とを有する一方、前記外装パネルは、商品選択機能部を有することを特徴とする請求項１記載の自動販売機。
【請求項３】
前記外装パネルは、前記金銭授受部が嵌まる開口部を設けて、前記連結手段によって連結したときに、前記金銭授受部の前面が前記外装パネルの前面に位置するようにしたことを特徴とする請求項２記載の自動販売機。
【発明の詳細な説明】
【０００１】
【産業上の利用分野】
本発明は、自動販売機に関し、特に本体を覆う扉体と別体化した外装パネルを設け、該外装パネルを容易に交換可能とする自動販売機に関する。
【０００２】
【従来の技術】
従来の自動販売機は、販売商品を収納する本体と金銭授受部や商品販売部や商品選択機能部とが取付けられた前面扉とからなる２分割の構成となっていた。
【０００３】
ところで、以前より一旦設置した自動販売機も短期間で外面がデザイン的に古くなり、斬新なデザインの外面にする必要があったが、近年、特に顧客のデザイン感覚も多様化し、また、設置場所に応じたデザインの自動販売機が求められる傾向にあり、その上、自動販売機のライフサイクルも年々短縮する傾向が顕著になっている。
【０００４】
かかる場合、従来の自動販売機は、前面扉に硬貨投入口や商品販売部等が１体に取付けられていたためにデザインを一新しょうとすれば、前面扉全体を交換する必要があり、不経済でかつ、交換作業も大変であった。このことは、前面扉が破損したときも同様である。
【０００５】
そこで、従来技術として実開平２−７７７８９号公報に示すように前面扉の一部分に別体のパネルを設け、このパネルに陳列棚、照明器具、商品選択釦とを組込んだものが見受けられる。
【０００６】
【発明が解決しようとする課題】
上記公報によれば、前面扉の一部分に別体のパネルをはめ込み、この別体のパネルを容易に交換できるとされている。
【０００７】
ところが、上記公報の自動販売機は、前面扉の上方の一部分を加工して別体のパネルを取付けるようにしているため別体のパネルを一新したデザインのものとしても、なお、前面扉の下方の大部分が古いデザインのものが残り、前面扉の別体を一新しても、逆に一新されたデザインの別体と古いデザインの前面扉との違和感が残る等の問題がある。
【０００８】
そこで、本発明は、外装パネルを容易に交換可能として自動販売機の前面のデザインを一新することができる自動販売機を提供することを目的とする。
【０００９】
【課題を解決するための手段】
請求項１の発明は、販売商品を収納する本体と、本体の前面の開口を閉塞し前方に開閉自在として前記本体に取付けられる扉体と、扉体に対向して前方を覆う外装パネルとを備えると共に、扉体と外装パネルとを、前記扉体に対して前記外装パネルを着脱自在に連結して固定する連結手段を両者間に設け、前記連結手段は、前記両者間を連結する際の位置決めと前記両者間の電気情報や電力の授受をする手段と前記両者間を固定する手段とからなるものである。
【００１０】
請求項２の発明は、請求項１記載の発明において、扉体は、金銭授受部と販売部とを有する一方、外装パネルは、商品選択機能部を有するようにしたものである。
【００１１】
請求項３の発明は、請求項２記載の発明において、外装パネルは、金銭授受部が嵌まる開口部を設けて、連結手段によって連結したときに、金銭授受部の前面が外装パネルの前面に位置するようにしたものである。
【００１３】
【作用】
請求項１の発明の構成によれば、扉体と別に外装パネルを設け扉体と外装パネルとの両者間を連結体によって連結固定することにより、多種多様のデザインの外装パネルを用意して自動販売機を一新することができる。従って、従来のように扉体全体を交換する必要がなく、現代に即した経済的な自動販売機となる。また、外装パネルと扉体とが位置決めと電気情報等の授受と固定とを兼ねた連結手段によって連結固定される。従って、外装パネルの交換が極めて簡単な作業によって行うことができる。
【００１４】
請求項２の発明の構成によれば、扉体に金銭授受部と販売部とを有し、外装パネルに商品選択機能部を有するようにしたために外装パネルの厚みを最小限とすることができ、外装パネルが経済的なものとなる。
【００１５】
請求項３の発明の構成によれば、金銭授受部を扉体側に設けても外装パネルの開口部に嵌まるからスペースの削除が図られ、単純な構成で外装パネルが前方へ突設することがない。従って、外装パネルと扉体とを単純な構成として全体として経済的な自動販売機となる。
【００１７】
【実施例】
以下、本発明の実施例を図面を参照して説明する。
【００１８】
図１は、本発明の第１実施例を示す自動販売機の要部分解斜視図、図２は図１の自動販売機の組立状態を示す斜視図であり、１は自動販売機の本体にして、この本体１は、図示省略する販売商品を多数収納している商品収納コラムおよび商品送出装置等を収設し、下部に圧縮機等の冷凍装置を収設している。
【００１９】
本体１の前面には、開口部を閉塞するように開閉自在とする扉体２が設けられ、扉体２は扉ヒンジ等によりその側縁が本体１に枢支され前方へ回動可能となっている。
【００２０】
また、扉体２の前面の中央には箱状に突出する金銭授受部３が設けられ、この金銭授受部３には、硬貨投入口４や返却レバー５や投入金額や釣銭切れ等を表示する表示器６が設けられ、下部には長方形状に開口部を有する商品販売部としての商品取出口７が設けられ、さらに、前面の４個所に後述する連結体の一部である連結凹部８ａ〜１１ａが形成されている。
【００２１】
１２は扉体２の大部分を覆う外装パネルで、該外装パネル１２の上部には商品選択機能を有する商品展示室１３が形成され、商品展示室１３は、背壁パネル１４に支持され商品サンプルが載置される二段からなる展示台１５と展示台１５の下部に商品に対応して商品を外部から選択するための多数の商品選択釦１６等が設けられ、背壁パネル１４の前方に透明なアクリル板１７によって覆われている。そして、商品展示室１３の内部に収納する蛍光灯によって背壁パネル１４の広告等を照らして展示効果を高めるようにし、商品展示室１３の商品サンプルは図示省略する扉を開けて交換等ができるようになっている。
【００２２】
１８は、外装パネル１２に形成される開口部で、該開口部１８は扉体２の前述した金銭授受部３が嵌装する大きさとして、かつ、位置決めがされている。外装パネル１２の背面側は、扉体２と連結するために扉体２の連結凹部８ａ〜１１ａに対向して連結凸部８ｂ〜１１ｂ（１０ｂは図示省略）が形成されて４ケの連結体８〜１１によって扉体２の前面と外装パネル１２の背面とが所定の位置で合体して連結固定するように構成されている。
【００２３】
連結体８〜１１の内で図示右下側の連結体１１について、図３乃至図６を参照して説明すると、連結凹部１１ａは図３の正面図に示すように扉体２に形成される円形凹部の底面１１ａ１の４箇所にボルト穴１１ａ２を形成し、中央に４角形状のコネックタ受ボックス１１ａ３を配設して、コネックタ受ボックス１１ａ３の内側に各種電気情報や照明等の電力を授受するピン受け１１ａ４を立設している。
【００２４】
これに対応する連結凸部１１ｂは、図４の正面図に示すように外装パネル１２の背面側に形成される円形状の突出部１１ｂ１に連結凹部１１ａのボルト穴１１ａ２に対向する固定ボルト１１ｂ２を立設し、中央にコネックタ受ボックス１１ａ３に嵌まるコネクタ１１ｂ３を立設して、連結凸部１１ｂが連結凹部１１ａへ差し込まれたとき、ピン受１１ａ４にコネクタピン１１ｂ４が挿入され、両者間に商品選択情報等の電気情報や電力の受渡しがされるようになっている。
【００２５】
連結凸部１１ｂが連結凹部１１ａへ差し込まれたとき、図５に示すように、図示矢印方向へ連結凸部１１ｂが連結凹部１１ａの円形の縁に案内され挿入される。まず、コネックタ受ボックス１１ａ３へコネクタ１１ｂ３が嵌まり、ピン受１１ａ４にコネクタピン１１ｂ４が挟持される。そして、各固定ボルト１１ｂ２が対応するボルト穴１１ａ２を貫通させる。
【００２６】
次に、図６に示すように扉体２の裏側から貫通したボルト１１ｂ２の先端からナット２０を挿入しスペーサ２１を介して固定する。なお、連結体８〜１０は、適宜必要によってコネックタ受ボックス１１ａ３とコネクタ１１ｂ３とを設けているが必ずしも全ての連結体８〜１１に設けなくてもよい。また、連結体の数も適宜変更できる。
【００２７】
以上説明したものを組立てるときは、まず、本体１の前面の側縁に扉体２に設ける扉ヒンジ等によって上下枢支し扉体２を開閉自在に取付け固定する。
【００２８】
次に、扉体２の前面を覆うように外装パネル１２を持ち上げて扉体２の４ケ所の連結凹部８ａ〜１１ａと外装パネル１２の４ケ所の連結凸部８ｂ〜１１ｂとを対向させ位置決めして連結凹部８ａ〜１１ａへ連結凸部８ｂ〜１１ｂを差し込むように挿入して連結し、図６のように固定して図２に示す状態にする。
【００２９】
これにより、本体１に扉体２が取付けられ、さらに、外装パネル１２が連結体８〜１１によって位置決めされ固定される。さらに、連結体８〜１１には、前述したように電気情報や電力の受渡しのためのコネクタとしての機能を有して扉体２と外装パネル１２の商品選択機能部との情報の授受ができる。
【００３０】
また、デザインを一新する場合や設置場所の状況に応じて外装パネル１２を交換する場合、あるいは、破損した外装パネル１２を交換するときも同様に行う。まず、前もって交換する外装パネル１２を用意しておく。
【００３１】
次に、連結体８〜１１のナット２０をそれぞれ緩めて取り外し、外装パネル１２を前方へ引き、扉体２の連結凹部８ａ〜１１ａから外装パネル１２の連結凸部８ｂ〜１１ｂを引き抜いて外装パネル１２を扉体２から取り出す。
【００３２】
次に、用意された外装パネル１２を持ち上げ、連結凸部８ｂ〜１１ｂと扉体２の連結凹部８ａ〜１１ａとが対向するように位置決めして連結凹部８ａ〜１１ａに連結凸部８ｂ〜１１ｂを差し込むように挿入して前述した各固定ボルト１１ｂをナットによって固定する。この結果、例えば、図７または図８に示すように別のデザインの外装パネル１２を取付けることができる。
【００３３】
図７に示す外装パネル１２は、外装パネル１２の四隅の部分が丸みを帯びたデザインで、図２に示す自動販売機と全く別のデザイン感覚のものとなる。
【００３４】
また、図８に示す自動販売機は、外装パネル１２の上部が本体１より上方に延設されており、このスペースに広告等を付けることができ、やはり、図２に示す自動販売機と異なるデザインのものとなり、一新した自動販売機とすることができる。
【００３５】
このように、本実施例によれば、自動販売機のデザインを一新したいときや破損したときなど最適なデザインの外装パネル１２を容易に取付け自動販売機の全体を一新することができる。従って、従来のように扉全体を取り替える必要がなく極めて経済的であり、取替作業も簡単なものとなる。
【００３６】
なお、図１による実施例では、扉体２に金銭授受部と販売部とを設け、外装パネル１２に、商品選択機能部を設けるようにしているが、外装パネル１２に、例えば、商品選択機能部の他に金銭授受部等を設けてもよい。
【００３７】
【発明の効果】
以上説明したように請求項１の発明によれば、扉体と別の外装パネルを設け、扉体と外装パネルとを連結固定することにより、多種多様のデザインの外装パネルを用意して自動販売機を一新することができ、従来のように扉体全体を交換する必要がなく、現代に即した経済的な自動販売機となる。また、外装パネルと扉体との位置決めと電気情報等の授受と固定とを兼ねた連結手段によって連結固定するようにしたために外装パネルの交換が極めて簡単な作業によって行うことができる。
【００３８】
また、請求項２の発明の構成によれば、扉体に金銭授受部と販売部とを有し、外装パネルに商品選択機能部のみを有するようにしたために外装パネルの厚みを最小限とすることができ、交換する外装パネル自体も経済的なものとなる。
【００３９】
また、請求項３の発明によれば、扉体側に設けた金銭授受部を外装パネルの開口部に嵌まるようにしたからスペースの削除が図られ、外装パネルと扉体とを単純な構成として全体として経済的にデザインを一新できる自動販売機となる。
【図面の簡単な説明】
【図１】本発明の一実施例を示す自動販売機の要部分解斜視図。
【図２】図１の自動販売機を組立てた状態を示す斜視図。
【図３】図１の自動販売機に備える連結手段の連結凹部の一例を示す正面図。
【図４】図１の自動販売機に備える連結手段の連結凸部の一例を示す正面図。
【図５】図１の連結手段の連結凹部へ連結凸部を挿入する際の一例を示す説明図。
【図６】図１の連結手段の連結凹部へ連結凸部を固定した状態の一例を示す説明図。
【図７】本発明の他の実施例を示す自動販売機の斜視図。
【図８】本発明のもう一つの他の実施例を示す自動販売機の斜視図。
【符号の説明】
１  本体
２  扉体
３  金銭授受部
４  硬貨投入口
５  返却レバー
６  表示器
７  商品取出口
８〜１１  連結体
８ａ〜１１ａ  連結凹部
８ｂ〜１１ｂ  連結凸部
１２  外装パネル
１３  商品展示室
１４  背壁パネル
１５  展示台
１６  商品選択釦
１７  アクリル板
１８  開口部
【図１】
0003887831.tif 000002
【図２】
0003887831.tif 000003
【図３】
0003887831.tif 000004
【図４】
0003887831.tif 000005
【図５】
0003887831.tif 000006
【図６】
0003887831.tif 000007
【図７】
0003887831.tif 000008
【図８】
0003887831.tif 000009